(57)【要約】【課題】電子製品固定装置の提供。【解決手段】本考案者は一種の電子製品固定装置に関わるものである。主に、大きい面積の主体両側に第１被り部と第２被り部を設ける。一つ以上の連結部材により、第１被り部、第２被り部及び主体などを前記の二つ以上の構成要素に連結する。前記の構成要素により、主体の第１表面に可変の収容空間を形成する。該主体の下半部はさらに突起上の係止め部を設ける。これにより、電子製品を主体の収容空間に装入し固定されるため、構造簡単、使用便利、コストが低いことなど、製造と販売の競争力を向上できる。【選択図】図１
0003127595.tif 000002
【実用新案登録請求の範囲】
【請求項１】
主体に大面積の第１表面を設け、該第１表面の下半部区域に一つ以上の係止め部を設け、主体上の第１表面の向かい側に備える第２表面に、連結部を設け、
一つ以上の第１被り部を前記主体の片側に設け、
一つ以上の第２被り部を前記主体に備える第１被り部の他端に設け、
一つ以上の連結部材は設けるとき、一つ以上の連結部材を第１被り部、第２被り部及び主体のうち、二つ以上の構成部品に連結しておき、互いに締結した連結部材、第１被り部、第２被り部と主体の第１表面との間に収容空間を形成して、固定する電子製品を装入することを特徴とする電子製品固定装置。
【請求項２】
第１被り部と第２被り部は弾性を有し、前記の連結部材により、天面に連結されたとき、自身の弾性により、主体の天面において、収容空間を形成することを特徴とする請求項１記載の電子製品固定装置。
【請求項３】
連結部材を第１被り部、第２被り部と主体いずれ二つの構成部品に連結するとき、該連結部材と二つの構成部品との距離を変更することにより、該収容空間の空間は連結部材の距離によって改変できることを特徴とする請求項１記載の電子製品固定装置。
【請求項４】
該第１被り部と該第２被り部は主体に連結固定することを特徴とする請求項１記載の電子製品固定装置。
【請求項５】
該連結部は主体とその他補助的な固定部材と連結することにより、所定場所に固定できることを特徴とする請求項１記載の電子製品固定装置。
【請求項６】
該連結部材は紐部材または帯状部材を使用し、第１被り部と第２被り部の端面に複数の孔を設けて、該連結部材は複数の孔を通した後、締め付けて固定できることを特徴とする請求項１記載の電子製品固定装置。
【請求項７】
該係止め部は主体に旋接し、該係止め部に貫通孔を設け、連結部材は紐部材または帯状部材のとき、これらの孔を通して、固定できることを特徴とする請求項１記載の電子製品固定装置。
【請求項８】
第１被り部は第２被り部と数が同じことを特徴とする請求項１記載の電子製品固定装置。
【請求項９】
第１被り部は第２被り部と数が異なることを特徴とする請求項１記載の電子製品固定装置。
【請求項１０】
該第１被り部と該第２被り部は調節可能にして、主体に連結固定することを特徴とする請求項１記載の電子製品固定装置。
【請求項１１】
その調節方式は、主体の第２表面に一つ以上の大面積ベルクロを設け、該第１被り部と第２被り部のうち、一つ以上の前端部にベルクロを設け、末端部に連結部材と連結することを特徴とする請求項１0記載の電子製品固定装置。
【請求項１２】
該主体の第２表面にベルクロを設ける場所の幅は、主体上ベルクロを設けない場所の幅より大きいことを特徴とする請求項１１記載の電子製品固定装置。
【考案の詳細な説明】
【技術分野】
【０００１】
本考案は一種の電子製品固定装置、特に一種の携帯電話、携帯端末などの製品を繰り返し固定し使用できるほか、寸法が異なる様々な製品の固定装置に関わる。
【背景技術】
【０００２】
本考案の固定装置は主に携帯電話、携帯端末など、車の付属品以外の電子製品を固定して、使用する装置に関わるものである。現在、この主の固定装置の把持方式は、２片式把持機構を使用し、台座上に一つか又は二つの相対的に移動可能な把持部を設ける。その内部に歯車、ばね、連動機構などを取り付けて、横方向移動力量の提供と把持部を移動後の位置に固定できる。しかしながら、この種の構造は、ばね、連動機構などによる伝動のため、使用のとき、機構部品の作動音など騒音を多く発生する。さらに、公知技術の把持方式は、二つの把持部を電子製品の両側に把持する。このため、電子製品を固定するときは、把持部両側を押さなければならない。そして、取り出すときは新たに１組の固定解除機構を操作し、把持状態を解除必要がある。使用が便利とは言えない。もし、利用者が汎用の固定装置を幅の小さい携帯電話を把持するとき、メーカーの固定装置は様々な寸法の電子製品の使用を考慮し、二つの把持部の距離を広く設計されている。利用者は使用のときに、手首を開いて、二つの把持部を広げる必要があるため、使用の不便を感じる。利用者は１回に把持する電子製品は１種類しかない。このような、設計は親和性を欠ける。この点を鑑みて、本考案者は、一種の斬新な構造を考案し、他の方式により、電子製品を車内に固定し使用を図る。
【考案の開示】
【考案が解決しようとする課題】
【０００３】
固定装置の主体場所において、第１被り部、第２被り部及び連結部材より収容空間可変を形成し、電子製品を装入し把持固定に便利する。連結部材により該第１被り部と該第２被り部の連結距離を改変可能にして、異なる寸法の電子製品に対応し、メーカーと利用者のニーズを満足する、一種の多種電子製品の固定装置を提供することを本考案の主な目的である。
【０００４】
公知技術の２片式の把持片により固定効果を実現するに対して、本考案は被り方式により、収容空間を形成して電子製品を固定する。電子製品を繰り返して装入使用がより容易にできため、親和性の使用形態を満足し、従来の構造のようなロック解除、取り出す、そして固定するときには、再びに把持、締め付けなど非常に煩雑な操作の必要がない。本考案の構造が単純で、製造が簡単、コストも安い、様々な寸法の電子製品に対応できる。製品により強い市場競争力を与える、一種の多種電子製品の固定装置を提供することが本考案の次の目的である。
【０００５】
前記の目的を達成するため、本考案は主に、大きい面積の主体両側に第１被り部と第２被り部を設ける。一つ以上の連結部材により、第１被り部、第２被り部及び主体などを前記の二つ以上の構成要素に連結する。前記の第１被り部、連結部材及び第２被り部により、主体の第１表面に可変の収容空間を形成する。該主体の下半部はさらに突起上の係止め部を設けて、電子製品を主体の収容空間に装入し固定できる。
【課題を解決するための手段】
【０００６】
請求項１の考案は、主体に大面積の第１表面を設け、該第１表面の下半部区域に一つ以上の係止め部を設け、主体上の第１表面の向かい側に備える第２表面に、連結部を設け、  一つ以上の第１被り部を前記主体の片側に設け、
一つ以上の第２被り部を前記主体に備える第１被り部の他端に設け、
一つ以上の連結部材は設けるとき、一つ以上の連結部材を第１被り部、第２被り部及び主体のうち、二つ以上の構成部品に連結しておく、互いに締結した連結部材、第１被り部、第２被り部と主体の第１表面との間に収容空間を形成して、固定する電子製品を装入することを特徴とする電子製品固定装置としている。
請求項２の考案は、第１被り部と第２被り部は弾性を有し、前記の連結部材により、天面に連結されたとき、自身の弾性により、主体の天面において、収容空間を形成することを特徴とする請求項１記載の電子製品固定装置としている。
請求項３の考案は、連結部材を第１被り部、第２被り部と主体いずれ二つの構成部品に連結するとき、該連結部材と二つの構成部品との距離を変更することにより、該収容空間の空間は連結部材の距離によって改変できることを特徴とする請求項１記載の電子製品固定装置としている。
請求項４の考案は、該第１被り部と該第２被り部は主体に連結固定することを特徴とする請求項１記載の電子製品固定装置としている。
請求項５の考案は、該連結部は主体とその他補助的な固定部材と連結することにより、所定場所に固定できることを特徴とする請求項１記載の電子製品固定装置としている。
請求項６の考案は、該連結部材は紐部材または帯状部材を使用し、第１被り部と第２被り部の端面に複数の孔を設けて、該連結部材は複数の孔を通した後、締め付けて固定できることを特徴とする請求項１記載の電子製品固定装置としている。
請求項７の考案は、該係止め部は主体に旋接し、該係止め部に貫通孔を設け、連結部材は紐部材または帯状部材のとき、これらの孔を通して、固定できることを特徴とする請求項１記載の電子製品固定装置としている。
請求項８の考案は、第１被り部は第２被り部と数が同じことを特徴とする請求項１記載の電子製品固定装置としている。
請求項９の考案は、第１被り部は第２被り部と数が異なることを特徴とする請求項１記載の電子製品固定装置としている。
請求項１０の考案は、と該第１被り部と該第２被り部は調節可能にして、主体に連結固定することを特徴とする請求項１記載の電子製品固定装置している。
請求項１１の考案は、その調節方式は、主体の第２表面に一つ以上の大面積ベルクロを設け、該第１被り部と第２被り部のうち、一つ以上の前端部にベルクロを設け、末端部に連結部材と連結することを特徴とする請求項１0記載の電子製品固定装置としている。
請求項１２の考案は、該主体の第２表面にベルクロを設ける場所の幅は、主体上ベルクロを設けない場所の幅より大きいことを特徴とする請求項１１記載の電子製品固定装置としている。
【考案の効果】
【０００７】
本考案は電子製品固定装置、固定装置の主体場所において、第１被り部、第２被り部及び連結部材より収容空間可変を形成し、電子製品を装入し把持固定に便利する。連結部材により該第１被り部と該第２被り部の連結距離を改変可能にして、異なる寸法の電子製品に対応し、メーカーと利用者のニーズを満足する。公知技術の２片式の把持片により固定効果を実現するに対して、本考案は被り方式により、収容空間を形成して電子製品を固定する。電子製品を繰り返して装入使用がより容易にできため、親和性の使用形態を満足し、従来の構造のようなロック解除、取り出す、そして固定するときには、再びに把持、締め付けなど非常に煩雑な操作の必要がない。本考案の構造が単純で、製造が簡単、コストも安い、様々な寸法の電子製品に対応できる。製品により強い市場競争力を与える。
【考案を実施するための最良の形態】
【０００８】
図１に示すものは、本考案の立体図である。本考案の電子製品５固定装置を固定する対象は、体積が小さい携帯電話のほか、ＭＰ３又は小型携帯端末などである。本考案は、主に主体１、一つ以上の第１被り部２、第２被り部３、及び連結部材４より構成する。該主体１に大面積の第１表面１１を設け、主体１上第１表面１１の向かい側に第２表面１２（図２に示す）を設け、該第２表面１２に結合部１３を設け、第１表面１１の下半部区域に一つ以上の係止め部１４を縁の付近部に設けて、主体１の第１表面１１に収納する電子製品５が下側より抜け出しを防止する。該第１被り部２と第２被り部３は、主体１それぞれ両側に向かい合って設ける。該第１被り部２と第２被り部３とも弾性と可撓性を有し、曲げて変形させた後に原状回復の特性を有する。該連結部材４は第１被り部２と第２被り部３の天面それぞれに連結し、互い連結された連結部材４、第１被り部２、第２被り部３及び主体１の第１表面１１の間に、空間可変の収容空間１５を形成し、該収容空間１５は電子製品５の固定に備える。第１被り部２と第２被り部３の弾性により、電子製品５を取り出した後、主体１の第１表面１１は崩れない収容空間１５を残しておく、その後に電子製品５の装入に繰り返し使用できる。
【０００９】
本実施例において、該連結部材４は紐部材を使用する。ただし、帯状またはその他連結固定可能な部材（ゴムバンドなど）であっても良い。第１被り部２と第２被り部３の天面に複数の貫通孔２１、３１を設け、該連結部材４の紐部材は順次に複数の孔２１、３１を通した後、紐の両端を縛り固定する。これにより、本考案の主体１の第１表面１１に空間可変の収容空間１５を形成する。可変空間１５とは、その空間に可変性を有する。本考案は連結部材４の長さと絡み方式により、連結部材４を第１被り部２と第２被り部３との間の距離及び位置を改変できる。このように、収容空間の大きさを改変し、様々な寸法の電子製品５の使用に提供する。もう一つは、形状可変である。弾性の第１被り部２と第２被り部３は、連結部材４により連結固定されたとき、まず概略的な形状を形成し、電子製品５を装入すると、電子製品５の外形に従って変化する。本考案は電子製品５の装入により変形した後、原状回復の反対作用の把持効果により、電子製品５を収容空間１５に確実固定できる。
【００１０】
図２に示すとおり、第２表面１２の結合部１３は、主体１が他の補助固定構造により、車内のフロントガラスの下部、クーラー出口、又はその他の固定場所に固定し、電子製品５の装入使用を提供する。このため、該結合部１３の構造は、利用する固定構造６による。形状固定物ではない。本実施例において、該結合部１３にＴ型に近似する結合孔１３１を設け、固定構造６は突き出したＴ型結合塊６１を設けて、両者を互いに締結する。ただし、これに限定することではない。該結合部１３と固定構造６を結合させる任意の構造であっても良い。
【００１１】
図３に示すとおり、該主体１は第１被り部２と第２被り部３を一体化に設け、大きい面積の片体を工場より出荷する。ただし、該第１被り部２と第２被り部３の厚みとその成分は主体１とは異なる。連結部材４によりそれぞれの孔２l、３１を通した後引き締めるとき、第１被り部２と第２被り部３は外部に開く弾性と可撓性の曲げ特性により、大きい曲げ度を形成する。一方、主体１材質の剛性が良く、基本形状を維持できる。これにより主体１の第１表面１１に収容空間１５（図１）を形成する。
【００１２】
本考案の固定装置使用がより便利を図るため、一部の公営要素は便利を前提とした設計を使用できる。一例として、主体１の第１表面１１は滑り表面ではなく、付着効果の部材を使用し、固定された電子製品５の抜け出しを防止する。電子製品５の繰り返し装入使用のため、該第１被り部２と第２被り部３は電子製品５装入部の端面は、外部に曲がる円弧面を設ける。電子製品５の底部に設けるイヤホーンジャック及びその他のコネクタが妨害されないよう、主体１下半部の係止め部１４は二つの小さい突起塊に間隔を置いて設ける。または、係止め部１４を横向きの移動方式に設けて、位置の調節に便利する。
【００１３】
図４に示すものは、本考案の使用態様図である。本考案の固定装置を使用するとき、電子製品５（本実施例において、携帯電話を使用する）を収容空間１５に装入した後、連結部材４を締めつける。このとき、第１被り部２と第２被り部３を連動して、曲げて変形し、電子製品５の周りにくっつけて、固定効果を実現する。主体１に係止め部１４を設けて、電子製品５が下方への抜け出しを防止できる。電子製品５を取り出した後、第１被り部２と第２被り部３は弾性により、収容空間１５の形状が維持される。電子製品５が再び装入したとき、収容空間１５の形状は電子製品５の外形によって変化し、電子製品５の内部装入に備える。さらに、変形による回復の反対作用により、電子製品５を確実に固定し、繰り返し装入使用ができる。
【００１４】
図５に示すものは、本考案の実施例２である。本実施例において、該係止め部１４ａを変更し、該係止め部１４ａは主体１の上部に旋接し、横方向の左右両側に傾斜して、係止め部１４ａを電子製品５に係止める位置に調節する。該係止め部１４ａに貫通した連結孔１４１を設け、該連結孔１４１の下半部が大きく広げ、上半部へ次第に縮小して行く、留め金１４２を形成する。該留め金１４２は該連結部材４に同じ寸法を設け、連結部材４を連結孔１４１に通しておく、利用者によって、留め金１４２部に引っ張られたとき、連結部材４を移動できないように固定する。図６に示すとおり、電子製品５を主体１に装入した後、係止め部１４ａより中央方向に傾けて、連結部材４の紐部材と係止め部１４ａ及び電子製品５との間に折り曲げ効果を形成するため、連結部材４の締め付け力を強化し、電子製品５が簡単に抜け出せないほか、連結部材４の紐部材の緩みを防止できる。このため、本実施例の係止め部１４ａを使用することにより、製品がより便利に使用できる。
【００１５】
図７に示すものは、本考案の実施例３である。本実施例において、主に該連結部材４ａの構造を変更している。該連結部材４ａは二つを設け、主体１の第１被り部２と第２被り部３の天面に設け、該連結部材４ａは第１被り部２と第２被り部３の形状に合わして、材質に柔軟性を持った可撓性の帯状部材を使用する。使用するとき、連結部材４ａを結びつけて、前記の実施例のように、二つの連結部材４ａを第１被り部２と第２被り部３に連結して、収容空間１５を形成する。また、図８に示すとおり、該連結部材４ａの一端は該係止め部１４ａの孔１４１に通すことにより、固定効果を実現する。もしくは、該連結部材４ａは主体１の孔１６を通して、主体１の第２表面１２において、再び結びつけて固定することも、固定効果がある。この場合、収容空間１５は主体１と第１被り部２、及び主体１と第２被り部３に備える二つの連結部材４ａに連結して形成する。
【００１６】
本考案は前記の実施例において、第１被り部２と第２被り部３は同じ数を向かい合って設ける。ただし、その数は非対称であっても良い。一例として、主体１一端の第１被り部２の数は二つを設け、他端の第２被り部３の数は一つを設ける。一つ以上の連結部材４より二つの第１被り部２と一つの第２被り部３を一体化に連結する。さらに、第１被り部２と第２被り部３の天面にそれぞれ連結部材４に連結した上、連結部材４を絡み合わせるか、または主体１に結合する方式により、電子製品５を収納する収容空間１５を形成する。
【００１７】
図９に示すものは、本考案の実施例４である。本実施例において、第１被り部２と第２被り部３を移動方式に変更している。本実施例において、主体１の第２表面１２に一つ以上の大面積ベルクロ１７のほか、切り離し可能の第１被り部２ａと第２被り部３ａを設ける。第１被り部２ａと第２被り部３ａ片側の前部にベルクロ２２、３２を設け、末端部は連結部材４ａに連結する。第１被り部２ａと第２被り部３ａをベルクロ１７に貼り付ける位置により、両者の距離を変更し、より大きい電子製品５の使用に備える。
【００１８】
前記した説明のとおり、本考案は主に主体１の両側に第１被り部２と第２被り部３を設け、一つ以上の連結部材４を第１被り部２、第２被り部３又は主体１に連結することにより、主体１の第１表面１１に可変の収容空間１５を形成し、電子製品５を装入して、簡単に固定できる。従来構造と異なる斬新な構造を利用者に提供する。
【図面の簡単な説明】
【００１９】
【図１】本考案の立体図である。
【図２】本考案の主体に備える第２表面の立体図であり、固定構造と組み合わせ機構を有する。
【図３】本考案の主体と第１被り部、第２被り部の概略図である。
【図４】本考案が携帯電話をはさみ取った立体図である。
【図５】本考案の実施例２の立体図である。
【図６】本考案の実施例２において、携帯電話をはさみ取った立体図である。
【図７】本考案の実施例３の構造概略図である。
【図８】本考案の実施例３の使用態様の立体図である。
【図９】本考案の実施例４の構造概略図である。
【符号の説明】
【００２０】
１  主体
１１  第１表面
１２  第２表面
１３  結合部
１３１  結合孔
１４  係止め部
１４ａ  係止め部
１４１  連結孔
１４２  留め金
１５  収容空間
１６  孔
１７  ベルクロ
２  第１被り部
２ａ  第１被り部
２１  孔
２２  ベルクロ
３  第２被り部
３ａ  第２被り部
３１  孔
４  連結部材
４ａ  連結部材
５  電子製品
６  固定構造
６１  結合塊
【図１】
0003127595.tif 000003
【図２】
0003127595.tif 000004
【図３】
0003127595.tif 000005
【図４】
0003127595.tif 000006
【図５】
0003127595.tif 000007
【図６】
0003127595.tif 000008
【図７】
0003127595.tif 000009
【図８】
0003127595.tif 000010
【図９】
0003127595.tif 000011